(57)【特許請求の範囲】
【請求項１】
所定の情報を入力する入力手段と、
所定の情報を表示するとともに、前記入力手段に対して開閉自在とされ、前記入力手段が設けられている方向に、より強い光を放射する表示手段と
を備え、
前記表示手段における透過特性を、
明階調の透過率が、前記表示手段の垂直方向で最も高く、前記垂直方向から前記入力手段が設けられている側の方向に向かって緩やかに減少し、前記垂直方向から前記入力手段が設けられている側の反対側の方向に向かって急激に減少し、
暗階調の透過率が、前記表示手段に対する方向のうちの前記入力手段が設けられている側からの所定の範囲及び前記入力手段が設けられている側の反対側からの所定の範囲だけで前記明階調の透過率より大きくなるようにする
ことを特徴とする情報処理装置。
【請求項２】
前記表示手段により放射された前記光を反射する反射手段
をさらに備えることを特徴とする請求項１に記載の情報処理装置。
【発明の詳細な説明】
【０００１】
【発明の属する技術分野】
本発明は、情報処理装置に関し、特に、例えば、キーボードが位置する方向により強い光を放射することができるようにした情報処理装置に関する。
【０００２】
【従来の技術】
図６は、従来のパーソナルコンピュータ１の外観の構成例を表している。本体２には、各種の文字や記号などを入力するとき操作されるキーボード４、マウスカーソルを移動させるときなどに操作されるトラックパット５などが、その上面に設けられている。
【０００３】
表示部３は、TN(Twisted Nematic)型LCDにより構成され、本体２に対して開閉自在とされるように取り付けられている。
【０００４】
次に、表示部３における透過率特性を、図７を参照して説明する。図７は、図６の断面を表しており、その表示部３に対応して描かれているグラフは、表示部３における、表示部３の垂直方向を視角０度とした場合の、視角の大きさに対応した明階調（例えば、白色）と暗階調（例えば、黒色）の透過率を表している。
【０００５】
明階調の透過率は、視線Ａのように、視角０度（表示部３に対して垂直方向）のとき最も高い。視線が視線Ａより上方の範囲において、すなわち、視角がマイナス側の範囲（−５０度乃至０度）においては、明階調の透過率は緩やかに変化する。一方、視線が視線Ａより下方の範囲において、すなわち、視角がプラス側の範囲（０度乃至５０度）においては、明階調の透過率は急激に変化する。
【０００６】
暗階調の透過率は、視角が約５度のとき最も小さく、その５度より小さい視角の、例えば、−３０度乃至５度の範囲では、暗階調の透過率は急激に変化する。一方、５度より大きい視角の  例えば、５度乃至５０度の範囲においては、暗階調の透過率は緩やかに変化する。
【０００７】
このような、視角に対する透過率特性を有することより、表示部３において、画像反転（暗階調の透過率が、明階調の透過率よりも大きくなるとき発生する現象で、例えば、表示部３の表示上の白色と黒色が反転するような現象）が、視角のマイナス側では、約−２０度において、またプラス側では、約５０度において認識されるようになる。すなわち、ユーザは、視線を視線Ａより約２０度分だけ上方に移動させたとき、または、視線を視線Ａより５０度分だけ視線を下方に移動させたとき、画像反転を認識する。つまり、この場合、視角のマイナス側に比べ、プラス側の方が、画像反転が認識されるまで、３０（＝５０−２０）度分でけ余裕がある。
【０００８】
なお、このような画像反転条件は、ユーザの使用上の理由（例えば、視やすいなど）から設定されたものであり、このような画像反転条件を有する表示部３は、６時方向の表示部３と称される。
【０００９】
【発明が解決しようとする課題】
ところで、上述したような透過率特性を有する場合、表示部３は、図８の矢印の大きさにより示されるような光放射特性を有する。すなわち、上方向に比べ本体２（キーボード４）方向への光放射量が小さい。
【００１０】
このように、パーソナルコンピュータ１の表示部３からの光放射量は、キーボード４が設けられている方向に対して小さいので、例えば、暗い場所において、ユーザがキーボード４の各キーを認識することが困難になり、結局、パーソナルコンピュータ１を利用できない課題があった。
【００１１】
本発明はこのような状況に鑑みてなされたものであり、暗い場所においてもキーボード４の各キーを認識することができるようにするものである。
【００１２】
【課題を解決するための手段】
請求項１に記載の情報処理装置は、所定の情報を入力する入力手段と、所定の情報を表示するとともに、入力手段に対して開閉自在とされ、入力手段が設けられている方向に、より強い光を放射する表示手段とを備え、表示手段における透過特性を、明階調の透過率が、前記表示手段の垂直方向で最も高く、前記垂直方向から前記入力手段が設けられている側の方向に向かって緩やかに減少し、前記垂直方向から前記入力手段が設けられている側の反対側の方向に向かって急激に減少し、暗階調の透過率が、表示手段に対する方向のうちの入力手段が設けられている側からの所定の範囲及び入力手段が設けられている側の反対側からの所定の範囲だけで明階調の透過率より大きくなるようにすることを特徴とする。
【００１３】
請求項１に記載の情報処理装置においては、所定の情報が入力され、所定の情報が表示されるとともに、入力手段に対して開閉自在とされ、入力手段が設けられている方向に、より強い光が放射される。表示手段における透過特性が、明階調の透過率が、表示手段の垂直方向で最も高く、垂直方向から入力手段が設けられている側の方向に向かって緩やかに減少し、垂直方向から入力手段が設けられている側の反対側の方向に向かって急激に減少し、暗階調の透過率が、表示手段に対する方向のうちの入力手段が設けられている側からの所定の範囲及び入力手段が設けられている側の反対側からの所定の範囲だけで明階調の透過率より大きくなるようにされる。
【００１４】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１５】
請求項１に記載の情報処理装置は、所定の情報を入力する入力手段（例えば、図１のキーボード１２）と、所定の情報を表示するとともに、入力手段に対して開閉自在とされ、入力手段が設けられている方向に、より強い光を放射する表示手段（例えば、図１の表示部１１）とを備え、表示手段における透過特性を、明階調の透過率が、表示手段の垂直方向で最も高く、垂直方向から入力手段が設けられている側の方向に向かって緩やかに減少し、垂直方向から入力手段が設けられている側の反対側の方向に向かって急激に減少し、暗階調の透過率が、表示手段に対する方向のうちの入力手段が設けられている側からの所定の範囲及び入力手段が設けられている側の反対側からの所定の範囲だけで明階調の透過率より大きくなるようにすることを特徴とする。
【００１６】
請求項２に記載の情報処理装置は、表示手段により放出された光を反射する反射手段（例えば、図１のキーボード１２）をさらに備えることを特徴とする。
【００１７】
図１は、本発明を適用したパーソナルコンピュータ１０の外観の構成例を表している。なお、図中、図６における場合と対応する部分については、同一の符号を付してあり、以下では、その説明は適宜省略する。すなわち、表示部３に代えて、表示部１１が設けられ、またキーボード４に代えて、キーボード１２が設けられている。
【００１８】
表示部１１は、TN型LCDにより構成され、本体２に対して開閉自在とされるように取り付けられている。表示部１１は、図２に描かれているグラフに示されるような透過率特性を有している。
【００１９】
このグラフは、図７における場合と同様に、表示部１１における、表示部１１の垂直方向を視角０度とした場合の、視角の大きさに対応した明階調（例えば、白色）と暗階調（例えば、黒色）の透過率を表している。
【００２０】
明階調の透過率は、視線Ａのように、視角０度（表示部１１に対して垂直方向）のとき最も高い。また視線が視線Ａより上方の範囲において、すなわち、視角がマイナス側の範囲（−５０度乃至０度）においては、明階調の透過率は急激に変化する。一方、視線が視線Ａより下方の範囲において、すなわち、視角がプラス側の範囲（０度乃至５０度）においては、明階調の透過率は緩やかに変化する。すなわち、表示部１１の透過率特性は、図６の表示部３の透過率特性に対し、上下を逆にしたもので、このような透過率特性を有する表示部１１は、１２時方向の表示装置と称される。なお、この場合、明階調および暗階調の透過率曲線は、表示部３における場合に比べ、全体的に緩やかに変化しているので、画像反転条件が逆になることにより、ユーザの使用上に問題は生じない。
【００２１】
上述したような透過率特性を有することより、表示部１１は、図３の矢印の大きさにより示されるような光放射特性を有する。すなわち、上方向に比べ本体２（キーボード１２）方向に対する光放射量が大きい。その結果、例えば、暗い場所においても、ユーザはキーボード１２の各キーを認識することができる。
【００２２】
キーボード１２には、本体２の平面図の図４に示すように、各種のキーの種類を表す文字または記号が印刷（以下、キー印刷と称する）されている。これらのキー印刷は、例えば、銀色、メタリック色、または白色系パール色などで印刷されており、図５示すように、表示部１１から放射される光を効率的に反射する。
【００２３】
このように、表示部１１からの光を効率的に反射するようにキー印刷されているので、暗い場所においても、ユーザは、容易にキーボード４の各キーを識別することができる。
【００２４】
【発明の効果】
請求項１に記載の情報処理装置によれば、入力手段が設けられている方向に、より多い光を放射するようにしたので、入力手段を認識することができる。
【図面の簡単な説明】
【図１】本発明を適用したパーソナルコンピュータ１０の外観の構成例を表す図である。
【図２】図１の表示部１１の透過率特性を説明する図である。
【図３】図１の表示部１１の光放射特性を説明する図である。
【図４】図１の本体２の平面図である。
【図５】図１のキーボード１２の反射特性を説明する図である。
【図６】従来のパーソナルコンピュータ１の外観の構成例を表す図である。
【図７】図６の表示部３の透過率特性を説明する図である。
【図８】図６の表示部３の光放射特性を説明する図である。
【符号の説明】
１  パーソナルコンピュータ，  ２  本体，  ３  表示部，  ４  キーボード，  ５  トラックパット，  １０  パーソナルコンピュータ，  １１  表示部，１２  キーボード
【図１】
0004140102.tif 000002
【図２】
0004140102.tif 000003
【図３】
0004140102.tif 000004
【図４】
0004140102.tif 000005
【図５】
0004140102.tif 000006
【図６】
0004140102.tif 000007
【図７】
0004140102.tif 000008
【図８】
0004140102.tif 000009